(57)【要約】      （修正有）【課題】足が弱くなった人、外出の少ない人や、デスクワークや旅行などで行動が制限される人になどに適した、負荷を変えられる健康器具を提供する。【解決手段】踏み板と支持部を回転軸によって連結し踏み板の両端がシーソー運動をするようにし、左右の足を踏み板に乗せることによって左右の足を交互に動かすことを可能とする。足をかける部分に断面が概ね円弧状の踏み座を設け、踏み板が上下したとき足がはずれないようにする。踏み板と受けいたの間に弾性材のベルトを掛けるか、踏み板と支持部の間あるいは踏み板と受けいたの間に弾性材を挟むことにより踏み板を踏む際に負荷を発生させる。【選択図】図２
0003107675.tif 000002
【実用新案登録請求の範囲】
【請求項１】
踏み板と支持部ならびに支持部を支える受け板を備え、その支持部に軸受を設け、踏み板と支持部とを回転軸をもって連結して踏み板の一端を踏むと反対側があがるシーソー様の機構とし、前述の踏み板の両端に上部の断面が概ね円弧形状からなる踏み座を設け、踏み板と受け板とが互いに引きつけるように踏み板と受け板とに弾性材のベルトを掛けたことを特徴とする健康器具。
【請求項２】
踏み板と支持部ならびに支持部を支える受け板を備え、その支持部に軸受を設け、踏み板と支持部とを回転軸をもって連結して踏み板の一端を踏むと反対側があがるシーソー様の機構とし、前述の踏み板の両端に上部の断面が概ね円弧形状からなる踏み座を設け、踏み板と受け板との間に弾性材を配設したことを特徴とする健康器具。
【請求項３】
踏み板と支持部ならびに支持部を支える受け板を備え、その支持部に軸受を設け、踏み板と支持部とを回転軸をもって連結して踏み板の一端を踏むと反対側があがるシーソー様の機構とし、前述の踏み板の両端に上部の断面が概ね円弧形状からなる踏み座を設け、踏み板と支持部との間に弾性材を配設したことを特徴とする健康器具。
【考案の詳細な説明】
【技術分野】
【０００１】
本考案は、主として下肢の運動に用いる健康器具に関するものである。
【背景技術】
【０００２】
散歩などにより下肢の運動をすることが、健康に不可欠であることはよく知られている。しかし、外出の少ない老人、あるいはデスクワークや旅行中など行動が制限されている人々も、下肢の運動をすることが少なくなること否めない。更に、歩行して運動することができないまでに足が弱くなった人も多数存在する。
【０００３】
運動をするための健康機具は従来より販売されているが、これらの外出の少ない人々や、デスクワークや旅行中などの行動が制限される条件に適したもの、あるいはさらに足が弱くなっている人々に適した健康器具は実生活の中でほとんど見かけないのが現状である。
【０００４】
この問題に応えるため次に示す考案がなされた。
【特許文献１】実用新案登録  第３０９９２８１号
【考案の開示】
【考案が解決しようとする課題】
【０００５】
前述の考案、実用新案登録第３０９９２８１号は、弱者を対象とした運動具であって、足に対する負荷は軽い。一方利用者の体力に個人差があり、ある人々は少し負荷が加わるものを希望している。
【課題を解決するための手段】
【０００６】
踏み板と支持部を回転軸によって連結して踏み板がシーソー運動をするようにし、左右の足を踏み板に乗せることによって左右の足を交互に動かすことを可能とすることは前述の考案と同一であるが、踏み板と受け板との間に弾性材のベルトを掛けることによって、適度の負荷を発生させる。
【０００７】
あるいは踏み板と受け板との間に弾性材を挿入し、踏み座を踏んで踏み板の一方の端が下がった時、踏み板と受け板の間の隙間が狭くなり、挿入されている弾性材を圧縮するようにさせる。
【０００８】
または踏み板と支持部との間に弾性材を挿入し、踏み座を踏んで踏み板の一方の端が下がっただとき、踏み板と支持部の間の隙間が狭くなり、挿入されている弾性材を圧縮するようにさせる。
【考案の効果】
【０００９】
本考案の健康器具は、実用新案登録第３０９９２８１号考案の健康器具のごく軽い負荷に限定されている弱点を補い、椅子に腰を掛けた姿勢で踏める程度の範囲の負荷を、自由に持たせることができる。
【００１０】
請求項２、請求項３記載の健康器具は、手段がわずかに異なるが、いずれも請求項１記載の健康器具と同様の機能を有する。
【考案を実施するための最良の形態】
【００１１】
本考案の構成素材は、木、プラスチック、金属いずれでもよいが、足裏と接触する部分は、木製、ゴム、弾力性のあるプラスチックなどが望ましい。本体は家庭用には木製がよい。
【００１２】
受け板の床に接する部分、あるいは受け板の下にベースを設けた場合はベースの床に接する部分に、滑り止め材を配することが望ましい。
【００１３】
弾性材ベルトの材料はゴム、鋼製スプリングなどが使用できる。請求項２記載の健康器具に使用する弾性材はウレタンゴムが望ましい。また請求項３の健康器具に使用する弾性材は、鋼製ばねあるいはウレタンゴムなどが望ましい。
【００１４】
踏み板と受け板の打ち合いの音や衝撃を軽減するため、クッション材を配することが望ましく、その素材にはゴム、スポンジ類、鋼製ばねなどが利用できる。
【００１５】
床に接する受け板の底面には、床との間の摩擦力を増大させる滑り止め材が必要である。実用新案登録第３０９９２８１号考案では、滑り止め材とクッション材はすべて別に配設されているが、本考案実施例１および実施例２ではクッションベルト１２が滑り止め材とクッション材を兼ねる。
【実施例１】
【００１６】
図１は本考案の実施例１の正面図、図２は本考案の実施例１の平面図、図３は本考案の実施例１の側面図、図４は本考案の下面図である。踏み板１の両端に断面が概ね円弧からなる踏み座２を設ける。支持部３に軸受４を設け、軸受４に両端を支えられている回転軸５をもって踏み板１と支持部３を連結する。踏み板１が踏まれて下がった位置で踏み板の下端がクッションベルト１２に当たる。クッションベルト１２は受け板に嵌められてあり、下端は滑り止め材を兼ねる。踏み板１と受け板６との両端の踏み座２の近傍に弾性材ベルト１０を掛けた。
【００１７】
踏み座２の一方を踏むと、反対側が高くなり、その部分の踏み板１受け板６との間隔が広がり、弾性材ベルトを引き延ばすため、踏み座２を踏んでいる足に負荷が加わる。これが交互に繰り返される。弾性材ベルト１０にはゴムベルトを使用した。掛けるゴムベルトの寸法と数を変更することにより任意の負荷を得ることができた。
【実施例２】
【００１８】
図５は本考案の第２の実施例の正面図、図６は本考案の第２の実施例の平面図、図７は本考案の第２の実施例の側面図である。第２の実施例の下面は実施例１図４と同一に顕れる。本例は支持部３の上端に溝を設けて軸受４としたものであって、支持部３と軸受４の形状以外は実施例１と同一である。
【００１９】
本例の機能、効果は実施例１と同等である。
【実施例３】
【００２０】
図８は本考案の第３の実施例の正面図、図９は本考案の第３の実施例の平面図、図１０は本考案の第３の実施例の側面図、図１１は本考案第３の実施例の下面図である。実施例１との違いは、受け板６の両端にベース７を設け、ベースの下側に滑り止め８を設け受け板の上端にクッション材９を設けた点である。
【００２１】
ベース８によって受け板と床面に空間ができ、製造工程や負荷により生じる受け板６の歪みを吸収し、本体が床面に対して安定する。機能、効果は実施例１と同等である。
【００２２】
以上の実施例は、請求項１に対応するものである。
【実施例４】
【００２３】
図１２は本考案の第４の実施例の正面図、図１３は本考案の第４の実施例の平面図、図１４は本考案の第４の実施例の側面図、図１５は本考案第４の実施例の下面図である。実施例３の弾性材ベルトに替えて、踏み板１と受け板６との間に鋼製のバネからなる弾性材１１を配した。他はクッション材９が存在しない点以外は実施例３と同一である。
【００２４】
実施例１から３は弾性材ベルト１０が引き延ばされて、踏み座２を踏む足に対する負荷を発生するのに対し、本実施例では弾性材１１が圧縮されて負荷を発生する。弾性材１１がクッションの作用を兼ねるため、クッション材を別に設ける必要はない。
【実施例５】
【００２５】
図１６は本考案の第５の実施例の正面図であって、左半分は中央断面である。図１７は本考案の第５の実施例の平面図である。図１８は本考案の第５の実施例の側面図であって、左半分は中央断面である。本実施例の下面は実施例４と同一に顕れる。本実施例では踏み板１と支持部３との間にウレタンゴムからなる弾性材１１を配設した。弾性材以外は実施例４と同一である。
【００２６】
踏み座２を踏み、踏み板１が下がると、下がった側の踏み板１と支持部３の間が狭められ弾性材１１が圧縮される。それにより踏み座２を踏む足に負荷が加わる。弾性材１１の寸法、形状、材質を変更することにより、負荷を変化させることができる。
【産業上の利用可能性】
【００２７】
以上述べたように、本考案の健康器具は、老人やオフィスのデスクワークの人旅行中の人などがこれを使用して運動することにより健康に寄与することができる利点がある。また、本考案の健康器具により訓練することによって運動能力が向上するが、その向上程度にあわせて負荷を変化させることができる。また体調よっても望む負荷が変化する。これらのニーズに対応が可能となったため、社会に貢献できるものである。
【図面の簡単な説明】
【００２８】
【図１】本考案の実施例の正面図である。（実施例１）
【図２】本考案の実施例の平面図である。（実施例１）
【図３】本考案の実施例の側面図である。（実施例１）
【図４】本考案の実施例の下面図である。（実施例１）
【図５】本考案の第２の実施例の正面図である。
【図６】本考案の第２の実施例の平面図である。
【図７】本考案の第２の実施例の側面図である。
【図８】本考案の第３の実施例の正面図である。
【図９】本考案の第３の実施例の平面図である。
【図１０】本考案の第３の実施例の側面図である。
【図１１】本考案の第３の実施例の下面図である。
【図１２】本考案の第４の実施例の正面図である。
【図１３】本考案の第４の実施例の平面図である。
【図１４】本考案の第４の実施例の側面図である。
【図１５】本考案の第４の実施例の下面図である。
【図１６】本考案の第５の実施例の正面図である。
【図１７】本考案の第５の実施例の平面図である。
【図１８】本考案の第５の実施例の側面図である。
【符号の説明】
【００２９】
１    踏み板
２    踏み座
３    支持部
４    軸受
５    回転軸
６    受け板
７    ベース
８    滑り止め材
９    クッション材
１０    弾性材ベルト
１１    弾性材
【図１】
0003107675.tif 000003
【図２】
0003107675.tif 000004
【図３】
0003107675.tif 000005
【図４】
0003107675.tif 000006
【図５】
0003107675.tif 000007
【図６】
0003107675.tif 000008
【図７】
0003107675.tif 000009
【図８】
0003107675.tif 000010
【図９】
0003107675.tif 000011
【図１０】
0003107675.tif 000012
【図１１】
0003107675.tif 000013
【図１２】
0003107675.tif 000014
【図１３】
0003107675.tif 000015
【図１４】
0003107675.tif 000016
【図１５】
0003107675.tif 000017
【図１６】
0003107675.tif 000018
【図１７】
0003107675.tif 000019
【図１８】
0003107675.tif 000020
【手続補正書】
【提出日】平成16年9月13日(2004.9.13)
【手続補正１】
【補正対象書類名】図面
【補正対象項目名】図１４
【補正方法】変更
【補正の内容】
【図１４】
0003107675.tif 000021